(57)【要約】      （修正有）【課題】遊具の載置状況が使用者に認識され易い遊具及び遊具セットを提供する。【解決手段】遊具１０は、剛性を有する１対のプレート部１１，１１の間に弾発部１５が挟まれてなる。遊具１０は、複数の発泡層が積層された積層構造を有し、１対のプレート部１１，１１のそれぞれには、剛性を有する多孔質発泡体からなる第１発泡層１２が備えられると共に、弾発部１５には、弾性を有する多孔質発泡体からなる第２発泡層１６が備えられる。そして、プレート部１１のうち弾発部１５側の端面の全体が弾発部１５との接面となっている。【選択図】図２
0003212501.tif 000002
【実用新案登録請求の範囲】
【請求項１】
剛性を有する１対のプレート部の間に弾発部が挟まれてなる遊具であって、
複数の発泡層が積層された積層構造を有して、
前記１対のプレート部のそれぞれには、剛性を有する多孔質発泡体からなる第１発泡層が備えられると共に、
前記弾発部には、弾性を有する多孔質発泡体からなる第２発泡層が備えられ、
前記プレート部のうち前記弾発部側の端面の全体が前記弾発部との接面となっている遊具。
【請求項２】
前記１対のプレート部の厚みが互いに異なっている請求項１に記載の遊具。
【請求項３】
前記１対のプレート部は、前記弾発部の上に配された状態で厚み方向に荷重を受けたときの沈み量が異なるように構成されている請求項２に記載の遊具。
【請求項４】
前記遊具の外周面には、切欠部が設けられ、
前記切欠部の内面の形状が、前記遊具の外周面における前記切欠部の非形成部分の一部の形状と一致している請求項１乃至３のうち何れか１の請求項に記載の遊具。
【請求項５】
前記遊具の平面形状は、円の一部を円弧状に切り欠いた形状をなし、
前記切欠部が円弧状の切り欠き部分で構成される請求項４に記載の遊具。
【請求項６】
前記プレート部のうち前記弾発部と反対側を向く面の外縁部に、Ｃ面取り及び／又はＲ面取りがなされている請求項１乃至５のうち何れか１の請求項に記載の遊具。
【請求項７】
厚み方向の中間部が両端部に対して太くなった中膨れ形状に形成されている請求項１乃至６のうち何れか１の請求項に記載の遊具。
【請求項８】
厚み方向の中間部が両端部に対して細くなった括れ形状に形成されている請求項１乃至６のうち何れか１の請求項に記載の遊具。
【請求項９】
厚み方向の一方側へ向かうにつれて細くなるテーパー形状に形成されている請求項１乃至６のうち何れか１の請求項に記載の遊具。
【請求項１０】
請求項１乃至９のうち何れか１の請求項に記載の遊具を複数備えてなる遊具セットであって、
複数の前記遊具は、同じ大きさ及び同じ形状に形成されている遊具セット。
【考案の詳細な説明】
【技術分野】
【０００１】
本考案は、弾性を有する弾発部を備えてなる遊具及びそれを複数備えた遊具セットに関し、特に、該遊具の上を使用者が飛び跳ねたり歩いたりすることで使用者の健康の維持や増進を図るためのものに関する。
【背景技術】
【０００２】
特許文献１には、弾発力を有する発泡層のみで構成された単層構造の遊具が示されている。
【先行技術文献】
【特許文献】
【０００３】
【特許文献１】特開２００７−６１４０９号公報（段落［００２０］〜［００２１］、図１，２）
【考案の概要】
【考案が解決しようとする課題】
【０００４】
特許文献１の遊具では、遊具の下に異物があっても、異物による凹凸が遊具の表層部の弾性変形によって吸収されるため、異物の存在が使用者に認識され難くなる。その結果、遊具の載置状況が不安定であっても遊具が使用されてしまい、使用者の怪我を招くという問題が起こり得た。
【０００５】
本考案は、上記事情に鑑みてなされたもので、遊具の載置状況が使用者に認識され易い遊具及び遊具セットの提供を目的とする。
【課題を解決するための手段】
【０００６】
上記目的を達成するためになされた請求項１の考案は、剛性を有する１対のプレート部の間に弾発部が挟まれてなる遊具であって、複数の発泡層が積層された積層構造を有して、前記１対のプレート部のそれぞれには、剛性を有する多孔質発泡体からなる第１発泡層が備えられると共に、前記弾発部には、弾性を有する多孔質発泡体からなる第２発泡層が備えられ、前記プレート部のうち前記弾発部側の端面の全体が前記弾発部との接面となっている遊具である。
【０００７】
請求項２の考案は、前記１対のプレート部の厚みが互いに異なっている請求項１に記載の遊具である。
【０００８】
請求項３の考案は、前記１対のプレート部は、前記弾発部の上に配された状態で厚み方向に荷重を受けたときの沈み量が異なるように構成されている請求項２に記載の遊具である。
【０００９】
請求項４の考案は、前記遊具の外周面には、切欠部が設けられ、前記切欠部の内面の形状が、前記遊具の外周面における前記切欠部の非形成部分の一部の形状と一致している請求項１乃至３のうち何れか１の請求項に記載の遊具である。
【００１０】
請求項５の考案は、前記遊具の平面形状は、円の一部を円弧状に切り欠いた形状をなし、前記切欠部が円弧状の切り欠き部分で構成される請求項４に記載の遊具である。
【００１１】
請求項６の考案は、前記プレート部のうち前記弾発部と反対側を向く面の外縁部に、Ｃ面取り及び／又はＲ面取りがなされている請求項１乃至５のうち何れか１の請求項に記載の遊具である。
【００１２】
請求項７の考案は、厚み方向の中間部が両端部に対して太くなった中膨れ形状に形成されている請求項１乃至６のうち何れか１の請求項に記載の遊具である。
【００１３】
請求項８の考案は、厚み方向の中間部が両端部に対して細くなった括れ形状に形成されている請求項１乃至６のうち何れか１の請求項に記載の遊具である。
【００１４】
請求項９の考案は、厚み方向の一方側へ向かうにつれて細くなるテーパー形状に形成されている請求項１乃至６のうち何れか１の請求項に記載の遊具である。
【００１５】
請求項１０の考案は、請求項１乃至９のうち何れか１の請求項に記載の遊具を複数備えてなる遊具セットであって、複数の前記遊具は、同じ大きさ及び同じ形状に形成されている遊具セットである。
【考案の効果】
【００１６】
［請求項１，７〜９の考案］
本考案の遊具は、剛性を有する１対のプレート部の間に弾発部が挟まれてなるので、遊具の下に異物がある場合には、その異物によって遊具が浮き上がる。これにより、異物の存在が遊具の使用者に認識され易くなり、遊具の載置状況が使用者に認識され易くなる。また、本考案の遊具では、プレート部のうち弾発部側の端面の全体が弾発部との接面となっているので、プレート部からの荷重が弾発部に伝達され易くなる。
【００１７】
ここで、遊具は、厚み方向で断面の形状及び大きさが変化しないストレート状に形成されてもよいし、厚み方向で断面の形状及び大きさが変化する形状であってもよい。後者の例としては、厚み方向の中間部が両端部に対して太くなった中膨れ形状（請求項７の考案）、厚み方向の中間部が両端部に対して細くなった括れ形状（請求項８の考案）、厚み方向の一方側へ向かうにつれて細くなるテーパー形状（請求項９の考案）が挙げられる。
【００１８】
［請求項２，３の考案］
本考案の遊具では、１対のプレート部の厚みが異なっているので、一方のプレート部が上を向くように遊具が載置されたときと、他方のプレート部が上を向くように遊具が載置されたときとで、遊具が踏まれたときに遊具が使用者に与える感触を異ならせることが可能となる。また、１対のプレート部を、同一の荷重を受けたときの沈み量が異なるように構成すれば、何れのプレート部が上側に配置されるかによって、遊具が踏まれたときに遊具が使用者に与える不安定性を異ならせることが可能となる（請求項３の考案）。
【００１９】
［請求項４，５の考案］
本考案の遊具によれば、２つの遊具を載置するときに、一方の遊具の切欠部の内面に他方の遊具の外周面を当接させることで、２つの遊具を繋げることが可能となる。しかも、遊具の平面形状を、円の一部を円弧状に切り欠いた形状とし、切欠部が円弧状の切り欠き部分で構成されるようにすれば、一方の遊具に対する他方の遊具の向きを任意に変更することが可能となる（請求項５の考案）。
【００２０】
［請求項６の考案］
本考案では、剛性を有するプレート部の外縁部にＣ面取り及び／又はＲ面取りがなされているので、プレート部の外縁部に手や足をぶつけることに起因した使用者の怪我が抑制される。
【００２１】
［請求項１０の考案］
本考案の遊具セットでは、複数の遊具を組み合わせて使用することが可能となる。また、本考案では、複数の遊具が同じ大きさ及び同じ形状に形成されているので、遊具セットの製造が容易となる。
【図面の簡単な説明】
【００２２】
【図１】本考案の一実施形態に係る遊具の斜視図
【図２】遊具の（Ａ）側断面図、（Ｂ）平面図
【図３】（Ａ）第１プレート部が上側に配置された状態で使用者に踏まれたときの遊具の側断面図、（Ｂ）第２プレート部が上側に配置された状態で使用者に踏まれたときの遊具の側断面図
【図４】遊具セットの使用例を示す平面図
【図５】他の実施形態に係る遊具の側断面図
【図６】他の実施形態に係る遊具の側断面図
【図７】他の実施形態に係る遊具の側断面図
【図８】他の実施形態に係る遊具の平面図
【図９】他の実施形態に係る遊具セットの平面図
【考案を実施するための形態】
【００２３】
図１に示されるように、本実施形態に係る遊具１０は、剛性を有する１対のプレート部１１，１１の間に弾発部１５が挟まれた構造となっている。具体的には、図２（Ａ）に示されるように、遊具１０は、剛性を有する多孔質発泡体からなる第１発泡層１２によって弾性を有する多孔質発泡体からなる第２発泡層１６が挟まれた積層構造になっていて、第１発泡層１２によってプレート部１１が構成され、第２発泡層１６によって弾発部１５が構成されている。
【００２４】
剛性を有する多孔質発泡体としては、独立気泡構造の多孔質発泡体や連続気泡構造の多孔質発泡体等が挙げられる。独立気泡構造の多孔質発泡体としては、ポリエチレンフォーム等のポリオレフィン系樹脂発泡体、ゴム発泡体、熱可塑性エラストマー発泡体等が挙げられる。連続気泡構造の多孔質発泡体としては、ポリウレタンフォームやチップウレタンフォーム（ポリウレタンフォームの小粉砕物をバインダーで押し固めた物）等が挙げられる。第１発泡層１２を構成する多孔質発泡体としては、剛性、軽量性、安全性、作業性、加工性等の点から独立気泡構造の多孔質発泡体であることが好ましく、ポリオレフィン系樹脂発泡体であることがより好ましく、ポリエチレンフォームであることが特に好ましい。第１発泡層１２がポリエチレンフォームで構成された場合、該ポリエチレンフォームの硬さ（ＪＩＳ  Ｋ６７６７：１９９９準拠）は、１０ＫＰａ以上であることが好ましい。なお、第１発泡層１２の厚みは、５〜３５ｍｍが好ましく、１０〜３０ｍｍがより好ましい。
【００２５】
弾性を有する多孔質発泡体としては、独立気泡構造の多孔質発泡体や連続気泡構造の多孔質発泡体等が挙げられる。独立気泡構造の多孔質発泡体としては、ラテックスフォーム等が挙げられる。連続気泡構造の多孔質発泡体としては、ポリウレタンフォーム等が挙げられる。第２発泡層１６を構成する多孔質発泡体としては、弾性、反発性、軽量性、安全性、作業性、加工性等の点から連続気泡構造の多孔質発泡体であることが好ましく、ポリウレタンフォームであることがより好ましい。第２発泡層１６がポリウレタンフォームで構成された場合、該ポリウレタンフォームの硬さ（ＪＩＳ  Ｋ６４００−２  Ｄ法：２０１２準拠）は、５０〜５００Ｎであることが好ましく、８０〜５００Ｎであることがより好ましく、１２０〜５００Ｎであることが特に好ましい。また、前記ポリウレタンフォームの反発弾性（ＪＩＳ  Ｋ６４００−３：２０１１準拠）は、３０％以上が好ましく、３５％以上であることがより好ましい。なお、第２発泡層１６の厚みは、２５〜７０ｍｍが好ましく、３０〜６０ｍｍがより好ましい。また、第２発泡層１６の厚みは、第１発泡層１２単独の厚みと同じ又は第１発泡層１２単独の厚みよりも厚いことが好ましく、第１発泡層１２単独の厚みよりも厚いことがより好ましい。
【００２６】
本実施形態の遊具１０は、厚み方向（即ち、発泡層１２，１６の積層方向）で断面の形状及び大きさが変化しないストレート状に形成されている。そして、プレート部１１において弾発部１５側を向く端面の全体が、弾発部１５との接面となっている。なお、プレート部１１と弾発部１５との間は、ホットメルト等の接着剤によって接着されている。
【００２７】
本実施形態では、１対のプレート部１１，１１の厚みが互いに異なっている。ここで、厚い方のプレート１１を第１プレート部１１Ａと称し、薄い方のプレート部１１を第２プレート部１１Ｂと称して、１対のプレート部１１，１１を適宜区別することにすると、第１プレート部１１Ａの厚みは、２０〜３０ｍｍであり、第２プレート部１１Ｂの厚みは、１０〜２０ｍｍである。
【００２８】
図２（Ｂ）に示されるように、遊具１０の平面形状は、円の一部が円弧状に切り欠かれた形状になっている。そして、遊具１０の外周面に、円弧状の切欠部２１が設けられている。ここで、同図には、切り欠かれる前の円Ｃ１と、切欠部２１の円弧を一部に有する円Ｃ２と、が２点鎖線で示されていて、円Ｃ１と円Ｃ２の２つの交点が切欠部２１の両端縁となっている。同図から明らかなように、２つの円Ｃ１，Ｃ２は、同じ大きさとなっている。従って、切欠部２１の内面の形状は、遊具１０の外周面のうち切欠部２１の非形成部分の一部の形状と一致している。
【００２９】
遊具１０を使用するには、まず、１対のプレート部１１，１１のうち一方のプレート部１１が上を向くように、遊具１０が載置面Ｓ（図３（Ａ）参照）の上に載置される。そして、遊具１０の使用者は、遊具１０の上で、飛び跳ねたり、足踏みをしたりする。ここで、載置面Ｓと当接するプレート部１１は剛性を有しているので、載置面Ｓの上に異物が存在すると、その異物によってプレート部１１が傾き、遊具１０全体が傾くことになる。これにより、遊具１０が使用される前に、異物の存在が使用者に認識され易くなる。
【００３０】
図３（Ａ）及び図３（Ｂ）には、使用者に踏まれた遊具１０の状態が示されている。遊具１０が踏まれると、上側に配置されたプレート部１１を介して荷重を受けた弾発部１５が弾性変形し、該プレート部１１において荷重を受けた部分が沈みこむ。ここで、遊具１０では、第１プレート部１１Ａの厚みと第２プレート部１１Ｂの厚みが異なっているので、上側に配置されたプレート部１１が第１プレート部１１Ａであるか第２プレート部１１Ｂであるかによって、上側に配されるプレート部１１の沈み量を異ならせることが可能となる。これにより、遊具１０を踏む使用者に異なる感触を与えることが可能となる。
【００３１】
詳細には、図３（Ａ）に示されるように、第１プレート部１１Ａが上側に配置されている場合において遊具１０の外縁寄り部分に荷重がかかると、第１プレート部１１Ａの全体が傾斜する。一方、図３（Ｂ）に示されるように、第２プレート部１１Ｂが上側に配置されている場合において遊具１０の外縁寄り部分に荷重がかかると、第２プレート部１１Ｂにおいて荷重を受けた部分の近傍のみが傾斜する。その結果、第２プレート部１１Ｂの沈み量が第１プレート部１１Ａの沈み量より大きくなる。
【００３２】
本実施形態の遊具１０は、複数組み合わせて使用することができる。図４（Ａ）と図４（Ｂ）には、複数の遊具１０を一纏めに備えた遊具セット１００の使用例が示されている。遊具セット１００は、複数の遊具１０を備えているため、遊具１０の数を自由に設定して使用することができる。図４（Ａ）は遊具１０を４個、図４（Ｂ）は遊具１０を７個、それぞれ使用した使用例である。
【００３３】
図４（Ａ）に示される遊具セット１００の使用例では、複数の遊具１０が花びら状に並べられる。周方向で隣り合う２つの遊具１０は、一方の遊具１０の切欠部２１に他方の遊具１０の一部が受容されることで繋がっている。各遊具１０における切欠部２１の一端縁は、花びらの中心に配置される。そして、複数の遊具１０が１つに纏まって踏み台１１０が形成されている。この使用例では、遊具１０の使用者は、踏み台１１０の上を飛んだり、歩いたりする。
【００３４】
図４（Ｂ）に示される遊具セット１００の使用例では、複数の遊具１０が蛇行するように並べられる。隣り合う２つの遊具１０は、一方の遊具１０の切欠部２１に他方の遊具１０の一部が受容されることで繋がっている。ここで、一方の遊具１０における切欠部２１の向き（即ち、図２（Ｂ）で示した円Ｃ１の中心から円Ｃ２の中心へと延びる矢印の方向）と、他方の遊具１０における切欠部２１の向きは異なっている。そして、複数の遊具１０が一繋がりになることで１本の道１１１が形成されている。この使用例では、遊具１０の使用者は、道１１１の上を飛んだり、歩いたりする。
【００３５】
なお、図４（Ａ）及び図４（Ｂ）の使用例では、第１プレート部１１Ａが上側を向くように配置された遊具１０（図４（Ａ），４（Ｂ）では灰色で示されている。）と第２プレート部１１Ｂが上側を向くように配置された遊具１０（図４（Ａ），４（Ｂ）では白色で示されている。）とが交互に載置されているが、第１プレート部１１Ａが上側を向くように配置された遊具１０で全ての遊具１０が構成されてもよいし、第２プレート部１１Ｂが上側を向くように配置された遊具１０で全ての遊具１０が構成されてもよい。また、第１プレート部１１Ａが上側を向くように配置された遊具１０で複数の遊具１０からランダムに選択された遊具１０が構成されてもよい。このように、遊具セット１００では、各遊具１０において上側に配置されるプレート部１１が第１プレート部１１Ａと第２プレート部１１Ｂの何れかに任意に設定されることで、複数の遊具１０が使用者に与える不安定性の多様化が図られる。
【００３６】
本実施形態に係る遊具１０及び遊具セット１００の構成に関する説明は以上である。次に、遊具１０及び遊具セット１００の作用効果について説明する。
【００３７】
本実施形態の遊具１０は、剛性を有する１対のプレート部１１，１１の間に弾性を有する弾発部１５が挟まれてなるので、遊具１０の下に異物がある場合には、その異物によって遊具１０が浮き上がる。これにより、遊具１０の載置状況が使用者に認識され易くなる。また、遊具１０では、プレート部１１のうち弾発部１５側の端面の全体が弾発部１５との接面となっているので、プレート部１１からの荷重が弾発部１５に伝達されやすくなる。
【００３８】
また、本実施形態の遊具１０では、１対のプレート部１１，１１の厚みが異なっているので、一方のプレート部１１（例えば、第１プレート部１１Ａ）が上を向くように遊具１０を載置されたときと、他方のプレート部１１（例えば、第２プレート部１１Ｂ）が上を向くように遊具１０が載置されたときとで、遊具１０が踏まれたときに遊具１０が使用者に与える感触を異ならせることが可能となる。しかも、１対のプレート部１１，１１は、同一の荷重を受けたときの沈み量が異なるように構成されているので、何れのプレート部１１が上側に配置されるかによって、遊具１０が踏まれたときに遊具１０が使用者に与える不安定性を異ならせることが可能となる。そして、遊具１０を複数備えてなる遊具セット１００では、複数の遊具１０において上側に配置されるプレート部１１を任意に設定することで、複数の遊具１０を踏む使用者に与える不安定性の多様化が図られる。このとき、使用者は異なる不安定性を連続して感じることとなり、身体動揺（身体の重心が移動する現象）が起こるところ、転倒防止を図るべく無意識に身体動揺を抑制するように身体が制御される。そして、身体動揺の抑制（身体の重心を安定化）に伴い、体幹筋、股関筋、足部周囲筋等が刺激され、筋活動が起こる。その結果、遊具セット１００を使用することにより、幼児であれば、遊びながら筋力アップやバランス感覚の向上等の効果が期待され、幼児以外であっても、筋力アップや衰えた筋肉を鍛える効果が期待される。このように、遊具セット１００を使用者の目的に応じてトレーニングやリハビリ等に利用可能となる。
【００３９】
また、本実施形態の遊具１０では、遊具１０の外周面に設けられた切欠部２１の内面の形状が、遊具１０の外周面における切欠部２１の非形成部分の一部の形状と一致しているので、一方の遊具１０の切欠部２１の内面に他方の遊具１０の外周面を当接させて２つの遊具１０を繋げることが可能となる。しかも、遊具１０の平面形状は、円の一部を円弧状に切り欠いた形状となっていて、切欠部２１が円弧状の切り欠き部分で構成されているので、２つの遊具１０を繋げたときの一方の遊具１０に対する他方の遊具１０の向きを任意に変更することが可能となる。
【００４０】
また、本実施形態の遊具セット１００では、複数の遊具１０が同じ形状及び同じ大きさに形成されているので、遊具セット１００の製造が容易となる。
【００４１】
［他の実施形態］
本考案は、上記実施形態に限定されるものではなく、例えば、以下に説明するような実施形態も本考案の技術的範囲に含まれ、さらに、下記以外にも要旨を逸脱しない範囲内で種々変更して実施することができる。
【００４２】
（１）図５（Ａ）に示されるように、プレート部１１のうち弾発部１５と反対側を向く面の外縁部に面取りが施されてもよい。この構成によれば、プレート部１１の外縁部に手や足をぶつけることに起因した使用者の怪我が抑制される。なお、面取りは、Ｃ面取りであってもＲ面取りであってもその両方であってもよい。また、面取りは、１対のプレート部１１，１１のうち一方のプレート部１１のみに行ってもよい。
【００４３】
（２）図５（Ｂ）に示されるように、プレート部１１は、第１発泡層１２の上に、例えば、装飾用、防滑用、抗菌用又は撥水用の表面材１３を備えた構成であってもよい。このとき、表面材１３の第１発泡層１２側の面全体が、第１発泡層１２に接着されていることが好ましい。
【００４４】
（３）図６（Ａ）に示されるように、弾発部１５は、厚み方向の中間部に独立気泡構造の発泡体からなる第３発泡層１７を有する構成であってもよい。
【００４５】
（４）上記実施形態では、弾発部１５は、１種類の第２発泡層１６で構成されていたが、図６（Ｂ）に示されるように、複数種類の第２発泡層１６Ａ，１６Ｂで構成されてもよい。なお、図６（Ｂ）の例では、弾発部１５は、第２発泡層１６Ａ，１６Ｂが積層された構造となっている。
【００４６】
（５）遊具１０は、切欠部２１を有しない構造であってもよい。
【００４７】
（６）遊具１０は、図７の（Ａ）〜（Ｃ）に示されるように、厚み方向の中間部が両端部に対して太くなった中膨れ状に形成されてもよいし、図７の（Ｄ）〜（Ｆ）に示されるように、厚み方向の中間部が両端部に対して細くなった括れ形状に形成されてもよいし、図７の（Ｇ），（Ｈ）に示されるように、厚み方向の一方側へ向かうに従って細くなるテーパー状に形成されてもよい。
【００４８】
（７）遊具１０の平面形状は、多角形の一部を切り欠いた形状（図８（Ａ），（Ｂ））であってもよいし、楕円の一部を切り欠いた形状（図８（Ｃ））であってもよい。また、遊具１０の平面形状は、ジグソーパズルのピースの形状（図８（Ｄ））であってもよいし、千鳥格子における千鳥の形状であってもよい。更に、遊具１０の中央部に、貫通孔又は凹部があってもよい。貫通孔又は凹部の形状は特に限定されず、円形状、楕円形状、多角形状、星形形状等が挙げられる。
【００４９】
（８）第１プレート部１１Ａと第２プレート部１１Ｂとが区別され易いように、互いの色を異ならせたり、それぞれに異なる文字や図形、記号などが刻印されてもよい。また、複数の遊具１０を組合せた際に、１つの文字や図形、記号などが形成されるように刻印してもよい。
【００５０】
（９）遊具１０は、例えば、椅子として用いられてもよい。また、使用者は、複数の遊具１０を積み木のように積み重ねて使用してもよい。
【００５１】
（１０）１対のプレート部１１，１１は、互いに同じ厚みであってもよい。このとき、１対のプレート部１１，１１の硬さが互いに異なっていてもよいし、同じであってもよい。
【００５２】
（１１）遊具１０は、複数組み合わせて使用される際に、互いに離して載置され、飛び石のように使用されてもよい。その際、遊具１０を直線状、曲線状、円形状（輪形状）、多角形形状等に並べて使用してもよい。
【００５３】
（１２）遊具１０は、複数組み合わせて使用されなくてもよい。即ち、使用者は、１つの遊具１０の上だけを飛び跳ねたりすることで、遊具１０を使用してもよい。
【００５４】
（１３）遊具セット１００は、図９（Ａ）に示されるように、互いに異なる大きさに形成されている複数の遊具１０を備えてもよいし、図９（Ｂ）に示されるように、互いに異なる形状に形成されている複数の遊具１０を備えていてもよい。
【符号の説明】
【００５５】
１０    遊具
１１    プレート部
１２    第１発泡層
１５    弾発部
１６    第２発泡層
２１    切欠部
１００    遊具セット
【図１】
0003212501.tif 000003
【図２】
0003212501.tif 000004
【図３】
0003212501.tif 000005
【図４】
0003212501.tif 000006
【図５】
0003212501.tif 000007
【図６】
0003212501.tif 000008
【図７】
0003212501.tif 000009
【図８】
0003212501.tif 000010
【図９】
0003212501.tif 000011